(57)【要約】      （修正有）【課題】長手方向に開口部を有する金属芯材を用いた手摺の表面に良好に樹脂成形体を被着させた手摺および、その製造方法を提供する。【解決手段】長手方向に沿って開口部を有したパイプ状長尺物１の開口部１２を除く部分に樹脂が被覆され、その芯材であるパイプ状長尺物の端部には被覆樹脂を係止するための係止溝１３が設けられるとともに前記係止溝の内部には溝入口部に比べて溝断面が大きい係止部１５が設けられており、該係止部まで被覆樹脂の一部が入り込むことによって、被覆樹脂の脱離が防止され、強固に芯材に樹脂が被着された樹脂被覆長尺物を提供することができる。また、この樹脂被覆長尺物は、長尺物を送り出しながら表面に溶融した樹脂を押出成形する同時押出成形によって形成し、そのときに溶融した樹脂を係止溝内部にも押出すことによって、連続的に効率よく前記樹脂被覆長尺物を製造することができる。【選択図】図１
2005262805.tif 000002
【特許請求の範囲】
【請求項１】
内部が中空かつその長手方向に沿って開口部を有したパイプ状長尺物の、開口部を除く部分に樹脂が被覆された樹脂被覆長尺物であって、パイプ状長尺物の開口部端部には被覆された樹脂の一部が入り込んで被覆樹脂が係止された係止溝が設けられており、前記係止溝の内部には溝入口部に比べて溝断面が大きい係止部が設けられており、該係止部まで被覆樹脂の一部が入り込むことによって、被覆樹脂の脱離を防止することができるようになされていることを特徴とする樹脂被覆長尺物。
【請求項２】
樹脂被覆長尺物は手摺であることを特徴とする請求項１に記載の樹脂被覆長尺物。
【請求項３】
請求項１または２に記載の樹脂被覆長尺物の製造方法であって、内部が中空かつその長手方向に沿って開口部を有するとともに該開口部端部には被覆する樹脂の一部が入り込んで前記被覆樹脂を係止するための係止溝が設けられたパイプ状長尺物を、押出成形機内に送り出してパイプ状長尺物表面に樹脂を押出すことによってパイプ状長尺物表面に樹脂を被覆するとともに、前記パイプ状長尺物の係止溝内にも樹脂を押出すことにより被覆樹脂の一部を係止溝内部に入り込ませてパイプ状長尺物と被覆樹脂とを一体に形成させることを特徴とする樹脂被覆長尺物の製造方法。
【発明の詳細な説明】
【技術分野】
【０００１】
本発明は、金属などのパイプ状物の表面に樹脂を被覆してなる複合成形部材に関するもので、特に住宅用の手すりに関するものである。
【背景技術】
【０００２】
近年、住宅部材や建築材などで金属を芯材として、その表面に樹脂を被覆した複合部材が盛んに用いられている。住宅部材や建築材などでは、金属製の部材をそのまま用いる場合もあるが、肌に触れたときの無機的な接触感があり、冬場に冷たく逆に夏場に熱くなったりする難点がある。また、美観的にも好ましくなく、その無機的な印象から冷たい感じを受けることが多い。また、木製や樹脂製のものを用いる方法もあるが、これらでは強度が不十分であったり、コストが割高になってしまったりしてしまう。
【０００３】
このようなことを考慮すると、芯材に金属を用いてその表面を樹脂により被覆することで、強度も十分でかつ、美観や触感も良い部材を提供することができる。この金属に樹脂を被覆した部材は、特に長尺のものに有効であって、例えば手すりなどに好適に用いられている。その理由としては、十分な強度を必要とする上、直接肌に触れる部材であるからその触感が大変重要であり、また、室内のインテリアの一部として用いられるためであり、金属製のパイプ状の芯材に樹脂を被覆した複合部材は、手すりに非常に好適である。
【０００４】
上記のように、金属製のパイプ状の芯材に樹脂を被覆した手すりは、現在、汎用的に用いられている。それらは例えば、断面が円形や楕円系の金属パイプ状の表面に樹脂を押出しながら全面に被覆して形成されたもの、予め金属芯材の形状に合わせて成形した樹脂を、接着剤や嵌め込みなどによって芯材に被着することによって形成されたものなどが挙げられる。
【０００５】
この中でも、予め金属芯材の形状に合わせて成形した樹脂成形体を、芯材に嵌め込むことによって被着する手すりは、簡便で施工性もよく、着脱も可能であるため、広く用いられている。このとき樹脂成形体を芯材に被着させる方法として、まず、芯材に開口部や溝を設けておき、被着させる樹脂成形体側にその開口部や溝に合わせて引っかけられるような爪を形成させ、その爪を開口部や溝に引っ掛けて被着させる樹脂成形体を固定する方法が一般的である。
【０００６】
【特許文献１】特開Ｈ０９−１４４２６５号公報
【特許文献２】特開２０００−１７０３４１号公報
【発明の開示】
【発明が解決しようとする課題】
【０００７】
しかしながら、上記のように樹脂成形体を芯材に嵌め込むことによって被着する手すりは、使用中や施工時などに樹脂成形体の爪の部分が芯材から外れてしまうようなケースが多々見受けられていた。
【０００８】
これを防ぐために同時押出などによってパイプ状の芯材表面を完全に覆うように樹脂を被着させてもよいが、このようにすると手摺を壁などに取り付けたり支えたりする部品などを手摺に取り付ける場所がない。このような場合は、例えば手摺の外周をぐるりと回した部品などで固定すればよいのであるが、外観が損なわれたり、手摺に段差が出来てしまったりするため、あまり好ましいとはいえない。
【０００９】
そこで本発明では、長手方向に開口部を有する金属芯材を用いた手摺の表面に良好に樹脂成形体を被着させた手摺および、その製造方法を提供することを目的としている。
【課題を解決するための手段】
【００１０】
上記目的を達成するために、本発明は次のような構成としている。すなわち内部が中空かつその長手方向に沿って開口部を有したパイプ状長尺物の、開口部を除く部分に樹脂が被覆された樹脂被覆長尺物であって、パイプ状長尺物の開口部端部には被覆された樹脂の一部が入り込んで被覆樹脂が係止された係止溝が設けられており、前記係止溝の内部には溝入口部に比べて溝断面が大きい係止部が設けられており、該係止部まで被覆樹脂の一部が入り込むことによって、被覆樹脂の脱離を防止することができるようになされていることを特徴とするものである。
【００１１】
本発明のように、被覆樹脂長尺物の芯材となるパイプ状長尺物には、係止溝がもうけられており、その係止溝の奧には、溝入り口よりも断面が広い係止部が設けられている。そして、この係止溝には、被覆された樹脂の一部が前記係止溝内部の係止部まで入り込んでいるので、被覆樹脂部材はしっかりと長尺物に固定され、脱離しないようになされている。従来の被覆樹脂長尺物は、一般に、例えば被覆樹脂の端部が爪状になっておりこれを長尺物の開口部に引っかけているだけであったため、容易に爪が外れて被覆樹脂が外れてしまったりする不具合があったが、本発明のように、溝の内部の断面を広くしてその内部まで被覆樹脂の一部を入り込ませることで、被覆樹脂が容易には取れないようになされている。
【００１２】
また、樹脂被覆長尺物は手摺であることを特徴とするものである。
【００１３】
本発明は、特に手摺に好適に用いることができる。手摺は、常に人の手に握られたり触られたりするので、従来のように被覆樹脂に設けられた爪を引っかけておくだけの場合、被覆樹脂が外れてしまうことが多々見受けられた。本発明のようにすることによって、そのような被覆樹脂の脱離を好適に防ぐことができる。
【００１４】
また、これまで場合によっては樹脂と長尺物との接着を助けるために接着剤などを用いていた場合もあったが、本発明によれば、充分な接着力を得られるためそのような手間も必要ない。また、接着剤を用いる必要がないことで、廃棄の場合に容易に被覆した樹脂が脱離できるので分別も容易である。
【００１５】
また、本発明の樹脂被覆長尺物の製造方法として、内部が中空かつその長手方向に沿って開口部を有するとともに該開口部端部には被覆する樹脂の一部が入り込んで前記被覆樹脂を係止するための係止溝が設けられたパイプ状長尺物を、押出成形機内に送り出してパイプ状長尺物表面に樹脂を押出すことによってパイプ状長尺物表面に樹脂を被覆するとともに、前記パイプ状長尺物の係止溝内にも樹脂を押出すことにより被覆樹脂の一部を係止溝内部に入り込ませてパイプ状長尺物と被覆樹脂とを一体に形成させることを特徴とするものである。
【００１６】
本発明の樹脂被覆長尺物は、被覆対象の芯材である長尺物を送り出しながら同時にその周囲に溶融した樹脂を押し出して表面に被覆させる同時押出成形により形成させるとよい。この同時押出成形の際に、長尺物の開口部端部に設けられた係止溝の内部にも溶融した樹脂が入り込むように押出し、溝内部の入り口部よりも断面が広がった係止部まで樹脂を入り込ませて、樹脂を固化することによって、溝内部の樹脂は溝から外れることがなくなり、被覆された樹脂がしっかりと長尺物に被着されて一体化される。また、製造方法として同時押出を用いており、連続的に生産が可能であり、その生産効率も優れている。
【発明の効果】
【００１７】
本発明によれば、長手方向に沿って開口部を有したパイプ状長尺物の開口部を除く部分に樹脂が被覆された樹脂被覆長尺物であって、その芯材であるパイプ状長尺物の端部には被覆樹脂を係止するための係止溝が設けられるとともに前記係止溝の内部には溝入口部に比べて溝断面が大きい係止部が設けられており、該係止部まで被覆樹脂の一部が入り込むことによって、被覆樹脂の脱離が防止され、強固に芯材に樹脂が被着された樹脂被覆長尺物を提供することができる。
【００１８】
また、本発明の長尺物を手摺とすることで、施工時や人の接触によっても被覆樹脂が脱離することもない優れた手摺を提供することができる。
【００１９】
また、この樹脂被覆長尺物は、長尺物を送り出しながら表面に溶融した樹脂を押出成形する同時押出成形によって形成し、そのときに溶融した樹脂を係止溝内部にも押出すことによって、連続的に効率よく前記樹脂被覆長尺物を製造することができる。
【発明を実施するための最良の形態】
【００２０】
本発明に係わる実施の形態について、図面に基づき以下に具体的に説明する。図１は、本発明の被覆樹脂長尺物の一例で、樹脂被覆手摺の断面図を示したものである。また、図２はその手摺の斜視図を示したものである。
【００２１】
樹脂被覆手摺は、芯材であるパイプ状長尺物１に被覆樹脂２が被着されてなる。パイプ状長尺物１は中空部１１を有し、その下部に開口部１２が設けられている。この開口部１２および中空部１１は、長尺物の長手方向に沿って連続的に設けられている。またその開口部１１の両端には、係止溝１３が設けられており、被覆樹脂の一部が、この係止溝１３の内部にまで入り込んでいる。
【００２２】
係止溝の形状は、特に限定されるものではないが溝入り口に対して内部の断面が大きくなっているとよい。内部の断面が、入り口よりも大きくなっている溝の内部にまで樹脂が入り込んでいるので、樹脂が容易に抜け落ちることがなく強固に芯材に被着される。図１に示される係止溝１３は、パイプ状長尺物１の下部に設けられた開口部１１の両端に上方に向かって係止溝１３が形成されている。係止溝入り口１４は狭いが、内部の係止部１５でほぼＴの字型に長尺物の中心線方向と外側に向かって折れ曲がって広がり係止部１４をっている。また、Ｔ字型の空間の係止部では、その断面の上辺が下辺のそれよりも小さい台形状となっており、それぞれの角部は、面取りがなされており丸みを帯びている。
【００２３】
溝の内部の形状は、図１に示したような形に限定されるものではなく、例えば、図３に示したように、内部でＬの字型に折れ曲がっていてもいいし（図３−Ａ）、円形の空洞（図３−Ｂ）を形成してしているようなものでよく、要は、入れ込んだ樹脂が内部で引っかかりを持って、抜け落ちないような形状であればよい。
【００２４】
この樹脂被覆長尺物は、芯材である長尺物を押出機に送り込みながら同時にその周囲に溶融した樹脂を押出機から押し出して被覆させる、いわゆる同時押出成形により形成させる。この同時押出成形の際に、長尺物の開口部端部に設けられた係止溝の内部にも溶融した樹脂が入り込むように樹脂を押出し、溝内部にも樹脂が入り込んだ状態でそのまま冷却されて固化させ、入れ込んだ樹脂が抜け落ちないようにされ、結果として強固に被覆樹脂全体が芯材に強固に被着される。
【００２５】
芯材の材質は特に限定されるものではなく、例えばアルミニウム、鉄、ステンレスなどの金属製のものでもよいし、合成樹脂製のものでもよいが、強度や軽さなどを考慮するとアルミニウム製のものが好ましく、アルミニウムの押出型材を用いるとよい。
【００２６】
被覆樹脂に用いる合成樹脂材料は、押出成形が可能であれば、特に限定されるものではなく、例えばポリエチレン、ポリプロピレン、ポリブテン、ポリイソプレン、エチレン酢酸ビニル共重合体などのポリオレフィン系樹脂、ポリ塩化ビニル、ＡＢＳ樹脂、ポリアミド、アクリル樹脂等の熱可塑性樹脂、フェノール樹脂、ポリエステル、ユリヤ樹脂等の熱硬化性樹脂等を用いることができる。樹脂としてエラストマーを用いてもよく、たとえばポリオレフィン系エラストマーなどを用いることができる。
【００２７】
また、被覆樹脂には、合成樹脂に加えて木粉が配合されていてもよく、木粉を配合することにより木質感を現出させることができるとともに成形品の強度を向上することができ、木粉によって外観や強度を向上させることができる。
【００２８】
また、必要に応じて適宜添加剤などを配合してもよく、例えば炭酸カルシウム、石粉等の充填剤や発泡剤、発泡助剤、紫外線吸収剤、帯電防止剤等を配合してもよい。また、不燃性を付与するために水酸化アルミニウム等の無機粒子を配合しても良い。ほかにも、熱可塑性エラストマーを加えて、表面の滑り性を抑制するようにしてもよい。その他、天然放射性希土類鉱物や常温赤外線放射鉱物等を配合しておけば、マイナスイオンを発生させることもできる。
【００２９】
また、樹脂被覆層は２層以上の複層になっていてもよく、例えば、内層部と表層部との２層構造にして、層ごとに樹脂の組成や添加剤の量を変化させてもよい。２層にして組成を変化させることで、機能や耐久性、外観を向上させることもできる。例えば、外装は顔料で加飾をしたり、内部は耐久性や強度を持たせたりすることもできる。
【００３０】
以下に、具体的な実施例を示す。
【００３１】
（実施例）
内部に中空部を有するとともに長さ方向に沿って開口部を有するアルミニウム製の長尺物を芯材として、樹脂がその周囲に同時押出によって被覆されている。その断面は図１に示したとおりである。芯材は、肉厚が３ｍｍ程度で、その外径は概ね３５ｍｍである。この芯材の開口部の端部には長さ方向に沿って押出した樹脂の一部を入れ込んで、被覆樹脂を固定するための係止溝が設けられており、この溝は開口部の端部から上方に向かって空間を有し、その内部で空間がＴの字型に曲がっている。溝の幅はその溝の入り口は２ｍｍであるが、内部で幅が広くなっており４ｍｍとなっている。また溝の深さは、３．５ｍｍである。また、押出成形により被覆する樹脂は、オレフィン系エラストマーを用いた。また、被覆樹脂層は、２層とされており、外層には外観を良好にするために顔料などが配合されている。このとき、内層の肉厚は２ｍｍ、外層は、０．５ｍｍ程度となされている。
【００３２】
上記のように形成された樹脂被覆長尺物は、手すりとして設置され、その施工時においても使用時においても被覆樹脂が外れることなく、強固に樹脂層が長尺物芯材の表面に接着していることといえる。
【図面の簡単な説明】
【００３３】
【図１】本発明の実施の一例を示した断面図である。
【図２】本発明の実施の一例を示した斜視図である。
【図３】本発明の実施の一例を示した断面の拡大図である。
【符号の説明】
【００３４】
１    芯材となるパイプ状長尺物
１１  中空部
１２  開口部
１３  係止溝
１４  係止溝入り口部
１５  係止部
２    被覆樹脂
【図１】
2005262805.tif 000003
【図２】
2005262805.tif 000004
【図３】
2005262805.tif 000005